(57)【要約】【課題】意匠性を向上させ得るとともに異物侵入を防止でき、さらに照明機能を発揮させることができる簡易且つ安価な構成の車両の天井用スピーカ装置を提供する。【解決手段】本装置１は、車両の天井部に取り付けられる天井用スピーカ装置であって、スピーカ２と、このスピーカの前面に対向して設けられ且つスピーカに向かって突出する凸部１１を有する音反射板３と、この音反射板を、天井部３６の天井面から車室内側に突出した使用状態Ｐ１と天井部に収納した収納状態Ｐ２との間で可動するように支持する支持構造４と、音反射板の凸部に向かって光を照射する第１光源（発光ダイオード５）と、を備える。【選択図】図１
2011225060.tif 000002
【特許請求の範囲】
【請求項１】
車両の天井部に取り付けられる天井用スピーカ装置であって、
スピーカと、
前記スピーカの前面に対向して設けられ且つ該スピーカに向かって突出する凸部を有する音反射板と、
前記音反射板を、前記天井部の天井面から車室内側に突出した使用状態と前記天井部に収納した収納状態との間で可動するように支持する支持構造と、
前記音反射板の前記凸部に向かって光を照射する第１光源と、を備えることを特徴とする車両の天井用スピーカ装置。
【請求項２】
前記凸部は光透光性を有する請求項１記載の車両の天井用スピーカ装置。
【請求項３】
前記凸部は光反射性を有する請求項１記載の車両の天井用スピーカ装置。
【請求項４】
前記音反射板の外側に配置される導光部材と、該導光部材に向かって光を照射する第２光源と、を更に備える請求項１乃至３のいずれか一項に記載の車両の天井用スピーカ装置。
【請求項５】
前記導光部材は、前記第２光源からの光を側方に導く側方導光部と、前記第２光源からの光を下方に導く下方導光部と、を有する請求項４記載の車両の天井用スピーカ装置。
【発明の詳細な説明】
【技術分野】
【０００１】
本発明は、車両の天井用スピーカ装置に関し、更に詳しくは、意匠性を向上させ得るとともに異物侵入を防止でき、さらに照明機能を発揮させることができる簡易且つ安価な構成の車両の天井用スピーカ装置に関する。
【背景技術】
【０００２】
従来より、車両の天井用スピーカ装置として、車両の天井部に取り付けられ、スピーカと、このスピーカの前面に対向して設けられスピーカからの音を周囲に拡散する音反射板と、を有するものが知られている（例えば、特許文献１の図７等参照）。
【先行技術文献】
【特許文献】
【０００３】
【特許文献１】実開平６−４５８６５号公報
【発明の概要】
【発明が解決しようとする課題】
【０００４】
しかし、上記特許文献１の技術では、天井用スピーカ装置が天井部の天井面から車室内側に突出して固定されているため、意匠性が損なわれてしまう。さらに、スピーカ装置の内部に埃等の異物が入ってしまう等の問題がある。
【０００５】
また、車両の天井部には、通常、車室内を照明する照明装置が設けられている。したがって、この照明装置を天井用スピーカ装置の近傍に配置することが考えられる。しかし、この場合、２つの装置が併設されることとなり、やはり意匠性が損なわれてしまう。さらに、部品点数が増えコストが高くなってしまう等の問題がある。
【０００６】
本発明は、上記現状に鑑みてなされたものであり、意匠性を向上させ得るとともに、異物侵入を防止でき、さらに照明機能を発揮させることができる簡易且つ安価な構成の車両の天井用スピーカ装置を提供することを目的とする。
【課題を解決するための手段】
【０００７】
本発明は、以下の通りである。
１．車両の天井部に取り付けられる天井用スピーカ装置であって、
スピーカと、
前記スピーカの前面に対向して設けられ且つ該スピーカに向かって突出する凸部を有する音反射板と、
前記音反射板を、前記天井部の天井面から車室内側に突出した使用状態と前記天井部に収納した収納状態との間で可動するように支持する支持構造と、
前記音反射板の前記凸部に向かって光を照射する第１光源と、を備えることを特徴とする車両の天井用スピーカ装置。
２．前記凸部は光透光性を有する上記１．記載の車両の天井用スピーカ装置。
３．前記凸部は光反射性を有する上記１．記載の車両の天井用スピーカ装置。
４．前記音反射板の外側に配置される導光部材と、該導光部材に向かって光を照射する第２光源と、を更に備える上記１．乃至３．のいずれか一項に記載の車両の天井用スピーカ装置。
５．前記導光部材は、前記第２光源からの光を側方に導く側方導光部と、前記第２光源からの光を下方に導く下方導光部と、を有する上記４．記載の車両の天井用スピーカ装置。
【発明の効果】
【０００８】
本発明の車両の天井用スピーカ装置によると、支持構造によって、音反射板は、天井部の天井面から車室内側に突出した使用状態と天井部に収納した収納状態との間で可動するように支持される。このように音反射板を使用状態と収納状態とに可動するようにしたので、音反射板を使用状態とすれば、スピーカからの音が音反射板で周囲に拡散されて室内空間全体を均一な音響空間とすることができる。また、音反射板を収納状態とすれば、意匠性を向上させることができる。さらに、異物侵入を防止することができる。また、音反射板の凸部に光を照射する第１光源を備えるので、第１光源から照射される光は、音反射板の凸部を透過したり、音反射板の凸部で反射したりして車室内が照明される。このようにスピーカ装置に音反射板を利用して照明する照明機能を持たせるようにしたので、従来のように照明装置とスピーカ装置とを併設するものに比べて、意匠性を向上させ得るとともに、簡易且つ安価な構成とすることができる。
また、前記凸部が光透光性を有する場合は、第１光源から照射される光が音反射板の凸部を透過して、その透過光により車室内が直接照明される。
また、前記凸部が光反射性を有する場合は、第１光源から照射される光が音反射板の凸部で反射されて、その反射光により車室内で天井部が間接照明される。
また、前記音反射板の外側に配置される導光部材と、該導光部材に向かって光を照射する第２光源と、を更に備える場合は、第２光源から照射される光が導光部材に導かれて車室内が照明される。
さらに、前記導光部材が、側方導光部と、下方導光部と、を有する場合は、第２光源から照射される光は、下方導光部で下方に導かれて車室内が直接照明されるとともに、側方導光部で側方に導かれて車室内で天井部が間接照明される。
【図面の簡単な説明】
【０００９】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例１に係る天井用スピーカ装置の音反射板の使用状態を示す縦断面図である。
【図２】上記天井用スピーカ装置の音反射板の収納状態を示す縦断面図である。
【図３】上記天井用スピーカ装置の分解斜視図である。
【図４】上記天井用スピーカ装置の音反射板の使用状態を示す斜視図である。
【図５】上記天井用スピーカ装置の音反射板の収納状態を示す斜視図である。
【図６】上記音反射板の要部拡大図である。
【図７】実施例１に係る固定部及び固定用クリップを説明するための説明図である。
【図８】上記天井用スピーカ装置を自動車の天井部に取り付けた状態を示す模式図である。
【図９】実施例２に係る天井用スピーカ装置の音反射板の使用状態を示す縦断面図である。
【図１０】上記天井用スピーカ装置の音反射板の収納状態を示す縦断面図である。
【図１１】上記天井用スピーカ装置の分解斜視図である。
【図１２】その他の形態の上カバーを示す斜視図である。
【発明を実施するための形態】
【００１０】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１１】
１．車両の天井用スピーカ装置
本実施形態１．に係る天井用スピーカ装置は、車両の天井部に取り付けられる天井用スピーカ装置であって、スピーカ（２）と、このスピーカの前面に対向して設けられ且つスピーカに向かって突出する凸部（１１，５１）を有する音反射板（３，４３）と、この音反射板を、天井部の天井面から車室内側に突出した使用状態（Ｐ１）と天井部に収納した収納状態（Ｐ２）との間で可動するように支持する支持構造（４）と、音反射板の凸部に向かって光を照射する第１光源（５）と、を備えることを特徴とする（例えば、図１及び図２、並びに図９及び図１０等参照）。上記天井部は、通常、ルーフパネルと、このルーフパネルの車室内側の面に対向して設けられる天井基材と、を有している。また、上記凸部は、通常、スピーカからの音を側方に向かって反射する機能を有している。
【００１２】
本実施形態１．の天井用スピーカ装置としては、例えば、（１）上記凸部は光透光性を有する形態（例えば、図１等参照）、（２）上記凸部は光反射性を有する形態（例えば、図９等参照）等のうちの１種又は２種以上の組み合わせを挙げることができる。
【００１３】
本実施形態１．の天井用スピーカ装置としては、例えば、上記音反射板の外側に配置される導光部材（６）と、この導光部材に向かって光を照射する第２光源（７）と、を更に備える形態を挙げることができる（例えば、図１及び図９等参照）。この導光部材は、例えば、第２光源からの光を側方に導く側方導光部（６ａ）と、第２光源からの光を下方に導く下方導光部（６ｂ）と、を有することができる。なお、上記「音反射板の外側に配置される」とは、音反射板を平面からみてその外側に配置される状態を意図する。
【００１４】
本実施形態１．の天井用スピーカ装置としては、例えば、上記支持構造は、天井部の天井基材を挟み込んで固定される上カバー（９）及び下カバー（８）を有し、上カバー及び下カバーのうちの少なくとも一方のカバーは、音反射板から立ち上がるガイド片（１２）を上下方向に案内するガイド部（１６，１７）を有する形態を挙げることができる（例えば、図３及び図１１等参照）。これにより、天井部の天井基材を挟み込んで強固に固定される上カバー及び下カバーのうちの少なくとも一方のカバーのガイド部によって、音反射板から立ち上がるガイド片が上下方向に案内される。そのため、音反射板を使用状態と収納状態との間でより円滑に可動させることができる。
【００１５】
上述の形態の場合、例えば、上カバーに形成された孔部（２７）の内部に上記第１光源及び／又は第２光源が配置されていることができる（例えば、図１及び図９等参照）。これにより、光源を乗員から直接的に見えないように配置でき、車室内をより効果的に照明することができる。
【００１６】
上述の形態の場合、例えば、上記上カバーには、車室内側を向くようにスピーカが固定され、上記下カバーには、音反射板を収納する凹状の収納部（１８）が形成され、且つ、上記導光部材が取り付けられていることができる（例えば、図１及び図９等参照）。これにより、スピーカ装置の上下方向の小型化を図ることができる。
【００１７】
上述の形態の場合、例えば、上カバーは、音反射板が使用状態にあるときに、ガイド片の先端側に設けられた係止爪が係止して音反射板の下方への移動を規制する規制部（３３）を有し、上カバー及び下カバーのうちの少なくとも一方のカバーは、音反射板が収納状態にあるときに、音反射板に設けられた突起部を係脱可能に係止する係止機構（３５）を有することができる（例えば、図１及び図９等参照）。これにより、音反射板が使用状態にあるときに、音反射板のガイド片の先端側に設けられた係止爪が上カバーの規制部に係止されて音反射板の下方への移動が規制される。そのため、音反射板を使用状態に位置決めすることができる。また、音反射板が収納状態にあるときに、音反射板の突起部が少なくとも一方のカバーの係止機構に係脱自在に係止される。そのため、音反射板を収納状態に位置保持することができる。
【００１８】
上記規制部は、上記係止爪が係止した状態で音反射板の上方への移動を規制しないことが好ましい。使用状態の音反射板は、上向きの力が加わっても上方へ移動するので、音反射板を容易に収納状態にすることができるためである。また、上記係止機構は、例えば、音反射板を押し上げて突起部で押圧することにより突起部を係止し、その係止状態で音反射板を押し上げて突起部で押圧することにより突起部の係止を解除するプッシュラッチであることができる。これにより、係止機構ひいてはスピーカ装置を簡易且つ安価な構造とすることができる。
【００１９】
本実施形態１．の天井用スピーカ装置としては、例えば、上カバーは、天井部のルーフパネル側に固定される固定部（１９）を有する形態を挙げることができる（例えば、図１及び図９等参照）。これにより、上カバーの固定部が天井部のルーフパネル側に固定させることで、音反射板を使用状態と収納状態との間で可動させるときに、天井部の天井基材が撓んでしまったり、天井用スピーカ装置の構成部品がガタついてしまったりすることを防止できる。なお、上記「ルーフパネル側に固定」される形態としては、例えば、ルーフパネルに直接的に固定される形態、ルーフパネルに取り付けられた支持ブラケットに固定される形態等のうちの１種又は２種以上の組み合わせを挙げることができる。
【００２０】
上述の形態の場合、例えば、固定部の上端側には、天井部のルーフパネル側に形成された孔部に圧入される固定用クリップ（２１）が遊嵌されていることができる（例えば、図７等参照）。このように固定用クリップが遊嵌されていることで、固定用クリップをルーフパネル側の孔部により円滑に圧入させることができる。そのため、上カバーひいては天井用スピーカ装置の取付け作業性を向上させることができる。特に、車両の製造時において、上カバー及び下カバーを組み付けてなる天井基材をルーフパネルに取り付ける場合には、固定用クリップをルーフパネル側の孔部に極めて円滑に圧入させることができ、取付作業性を向上させることができる。なお、上記「ルーフパネル側に形成」される形態としては、例えば、ルーフパネルに直接的に形成される形態、ルーフパネルに取り付けられた支持ブラケットに形成される形態等のうちの１種又は２種以上の組み合わせを挙げることができる。また、上記「遊嵌」とは、固定部の上端部に固定用クリップが水平方向に遊び（例えば、２．５〜３．０ｍｍ等）をもって嵌合される状態を意図する。
【実施例】
【００２１】
以下、図面を用いて実施例１及び２により本発明を具体的に説明する。なお、本実施例１及び２では、天井用スピーカ装置として、図８に示すように、車両の天井部３６の中央側に設置される天井用スピーカ装置１（４１）を例示する。
【００２２】
＜実施例１＞
（１）天井用スピーカ装置の構成
本実施例１に係る天井用スピーカ装置１は、図１〜図３に示すように、スピーカ２と、このスピーカ２の前面２ａ（音発生部）に対向して設けられる樹脂製の音反射板３と、この音反射板３を使用状態Ｐ１及び収納状態Ｐ２に可動するように支持する支持構造４と、この音反射板３に向かって上方から光を照射する発光ダイオード５（本発明に係る「第１光源」として例示する。）と、この音反射板３の外側に配置される導光部材６と、この導光部材６に向かって上方から光を照射する発光ダイオード７（本発明に係る「第２光源」として例示する。）と、を備えている。
【００２３】
上記天井部３６は、金属製のルーフパネル３６ａと、このルーフパネル３６ａの車室内側の面に対向して設けられる樹脂製の天井基材３６ｂとを有している（図８参照）。この天井基材３６ｂの中央側には、スピーカ取付孔３１が形成されている。
【００２４】
上記音反射板３は、光反射性を有する円環状の平板部１０と、この平板部１０の中央孔に装着され且つ光透過性を有するレンズ１１（本発明に係る「凸部」として例示する。）と、を備えている。このレンズ１１は、スピーカ２の前面２ａに向かって突出する円錐状に形成されている。また、このレンズ１１には、音反射板３の中央孔の内周側に形成された段差部１０ａに係合する外周フランジ部１１ａが形成されている（図６参照）。また、このレンズ１１の下面は、音反射板３の中央孔を介して車室内に露出している（図４及び図５参照）。
【００２５】
上記平板部１０の上面には、レンズ１１の周囲側で上方に立ち上がる複数（図３中で４つ）の支柱状のガイド片１２と、後述するプッシュラッチにより係止される突起部１４とが形成されている。これら各ガイド片１２の先端側には、音反射板３の遠心方向に突出し後述する規制部に係止する係止爪１３が形成されている。
【００２６】
上記支持構造４は、天井基材３６ｂのスピーカ取付孔３１の周縁側を挟み込んで固定される円環状の上カバー９及び下カバー８を有している。この上カバー９及び下カバー８のそれぞれには、音反射板３の各ガイド片１２を上下方向に案内する複数のガイド部１６，１７が形成されている（図３参照）。
【００２７】
上記上カバー９には、半径方向に延びる複数（図３中で４つ）の孔部２７が形成されている。これら各孔２７部を覆うように上カバー９の上面には矩形状の取付板２８が取り付けられている。この取付板２８の下面には、その一端側には発光ダイオード５が取り付けられ、その他端側に発光ダイオード７が取り付けられている。そして、取付板２８の取付状態で各発光ダイオード５，７は孔部２７内に配置されている。また、上記上カバー９には、その前面２ａが車室内側を向くようにスピーカ２が固定されている。
【００２８】
上記発光ダイオード５は、その指向方向が鉛直方向に対して傾斜するように取付板２８に取り付けられている。この発光ダイオード５の指向方向は、音反射板３のレンズ１１の円錐面に対して略直交している。また、上記発光ダイオード７は、その指向方向が鉛直方向に沿うように取付板２８に取り付けられている。
【００２９】
上記下カバー８の下面側には、音反射板３を収納する凹状の収納部１８が形成されている。また、下カバー８の上面側には、平面から視て音反射板３の外側に配置されるように円環状の導光部材６が取り付けられている。
【００３０】
上記導光部材６は、発光ダイオード７からの光を導光部材６の側方に導くリング状の側方導光部６ａと、発光ダイオード７からの光を導光部材６の下方に導く複数（図３中で４つ）の下方導光部６ｂと、を有している。この側方導光部６ａの外側面は、下カバー８と天井基材３６ｂとの間の隙間を介して車室内に露出している（図４及び図５参照）。また、各下方導光部６ｂは、側方導光部６ａの下面から下方に突出して円周方向に延びている。そして、各下方導光部６ｂの下面は、下カバー８に形成された孔部２９を介して車室内に露出している（図４及び図５参照）。
【００３１】
上記上カバー９のガイド部１７の近傍の上面側は、音反射板３が使用状態Ｐ１にあるときに、ガイド片１２の先端側の係止爪１３が係止して音反射板３の下方への移動を規制する規制部３３とされている。この規制部３３は、係止爪１３が係止した状態で音反射板３の上方への移動を規制していない。そのため、使用状態Ｐ１の音反射板３は、上向きの力が加わっても上方へ移動することとなり、音反射板３を容易に収納状態Ｐ２にすることができる。
【００３２】
上記下カバー８には、音反射板３が収納状態Ｐ２にあるときに、音反射板３の突起部１４を係脱可能に係止する公知のプッシュラッチ３５（本発明に係る「係止機構」として例示する。）が取り付けられている。このプッシュラッチ３５は、音反射板３を押し上げて突起部１４で押圧することにより突起部１４を係止し、この係止状態で音反射板３を押し上げて突起部１４で押圧することにより突起部１４の係止を解除するように構成されている。
【００３３】
また、上カバー９の上面周縁側には、ルーフパネル３６ａに取り付けられた円板状の支持ブラケット２４に固定される複数（図３中で４つ）の支柱状の固定部１９が立ち上げられている。これら各固定部１９の上端側には、図７に示すように、クリップ取付孔２０が形成され、このクリップ取付孔２０には樹脂製の固定用クリップ２１が遊嵌されている。この固定用クリップ２１は、抜け止めの上下のフランジを有する基部２２と、この基部２２の上側の略円錐形状の先端部２３と、を有している。この基部２２の軸２２ａは、クリップ取付孔２０の支持孔２０ａに水平方向に適当な遊び（例えば、約２．５ｍｍ等）をもって嵌められている。この先端部２３は、支持ブラケット２４に形成された貫通孔状の孔部２５内に圧入される（図１参照）。
【００３４】
（２）天井用スピーカ装置の組付方法
次に、上記構成の天井用スピーカ装置１の組付方法について説明する。先ず、音反射板３にレンズ１１を取り付け、下カバー８に導光部材６を取り付け、上カバー９にスピーカ２及び発光ダイオード５，７が固定された取付板２８を取り付けておく。次に、天井基材３６ｂのスピーカ取付穴３１の周縁側を下カバー８と上カバー９とで挟み込み、両カバー８，９をねじ止めする。そして、音反射板３のガイド片１２を両カバー８，９の各ガイド部１６，１７に弾性変形を伴って挿通させて、音反射板３を下カバー８の下側に取り付ける。
【００３５】
次いで、上述のように天井用スピーカ装置１の構成部品が組み付けられた天井基材３６ｂをルーフパネル３６ａの車室内側面に対向させて、ルーフパネル３６ａの支持ブラケット２４の孔部２５に上カバー９の固定部１９に遊嵌された固定用クリップ２１の先端部２３を圧入して両者を一体化する。この固定用クリップ２１の圧入時には、支持ブラケット２４の孔部２５に対して固定用クリップ２１が正確に位置合わせされていなくても、固定用クリップ２１は、遊嵌されていることで水平方向の位置をずらして孔部２５に円滑に圧入される。
【００３６】
（３）天井用スピーカ装置の作用
次に、上記構成の天井用スピーカ装置１の作用について説明する。なお、本実施例１では、音反射板３が使用状態Ｐ１又は収納状態Ｐ２であるときに、スイッチ操作により発光ダイオード５，７が点灯可能であるものとする。
【００３７】
上記音反射板３が最下方に位置して使用状態Ｐ１にあるときには、スピーカ２から発生された音は、天井基材３６ｂのスピーカ取付穴３１を通って音反射板３にぶつかり、レンズ１１で水平全周方向に拡散され、音反射板３と下カバー８との隙間から車室内に放出される（図１中に中空矢印で示す。）。また、発光ダイオード５から照射される光は、その一部が音反射板３のレンズ１１を透過して車室内が直接照明されるとともに、その一部が音反射板３の平板部１０で反射されて天井部３６が間接照明される（図１中に破線矢印で示す。）。さらに、発光ダイオード７から照射される光は、その一部が導光部材６の下方導光部６ｂで下方に導かれて車室内が直接照明されるとともに、その一部が導光部材６の側方導光部６ａで側方に導かれて天井部３６が間接照明される（図１中に一点鎖線矢印で示す。）。
【００３８】
次いで、音反射板３を収納状態Ｐ２とする際には、使用状態Ｐ１の音反射板３を下方から押し上げる。これにより、音反射板３のガイド片１２が各カバー８，９のガイド部１６，１７に案内され、音反射板３が下カバー８の収納部１８内に収納される。このとき、音反射板３の突起部１４がプッシュラッチ３５を押圧してロックされ、音反射板３は収納状態Ｐ２に位置保持される。
【００３９】
そして、音反射板３が収納状態Ｐ２であるときには、発光ダイオード５から照射される光は、音反射板３のレンズ１１を透過して車室内が直接照明される（図２中に破線矢印で示す。）。さらに、発光ダイオード７から照射される光は、その一部が導光部材６の下方導光部６ｂで下方に導かれて車室内が直接照明されるとともに、その一部が導光部材６の側方導光部６ａで側方に導かれて天井部３６が間接照明される（図２中に一点鎖線矢印で示す。）。
【００４０】
その後、音反射板３を使用状態Ｐ１とする際には、収納状態Ｐ２の音反射板３を上方に押し込む。これにより、音反射板３の突起部１４がプッシュラッチ３５を押圧してロックが解除される。すると、音反射板３は最下位置まで下がって音反射板３の係止爪１３が上カバー９の規制部３３に係止して、音反射板３は使用状態Ｐ１に位置決めされる。
【００４１】
（４）実施例１の効果
以上より、本実施例１の天井用スピーカ装置１によると、支持構造４によって、音反射板３は、天井部３６の天井面から車室内側に突出した使用状態Ｐ１と天井部３６に収納した収納状態Ｐ２との間で可動するように支持される。このように音反射板３を使用状態Ｐ１と収納状態Ｐ２とに可動するようにしたので、音反射板３を使用状態Ｐ１とすれば、スピーカ２からの音が音反射板３で周囲に拡散されて室内空間全体を均一な音響空間とすることができる。また、音反射板３を収納状態Ｐ２とすれば、意匠性を向上させることができる。さらに、異物侵入を防止することができる。
【００４２】
また、本実施例１では、音反射板３のレンズ１１に向かって光を照射する発光ダイオード５を備えたので、発光ダイオード５から照射される光は、その一部が音反射板３のレンズ１１を透過して車室内が直接照明されるとともに、その一部が音反射板３の平板部１０で反射されて天井部３６が間接照明される。このようにスピーカ装置１に音反射板３を利用して照明する照明機能を持たせるようにしたので、従来のように照明装置とスピーカ装置とを併設するものに比べて、意匠性を向上させ得るとともに、簡易且つ安価な構成とすることができる。
【００４３】
また、本実施例１では、音反射板３の外側に配置され且つ側方導光部６ａ及び下方導光部６ｂを有する導光部材６と、この導光部材６に向かって光を照射する発光ダイオード７と、を更に備えるので、発光ダイオード７から照射される光は、その一部が下方導光部６ｂで下方に導かれて車室内が直接照明されるとともに、その一部が側方導光部６ａで側方に導かれて天井部３６が間接照明される。その結果、車室内を更に効果的に照明することができる。
【００４４】
さらに、本実施例１では、上カバー９に形成された孔部２７の内部に発光ダイオード５，７を配置するようにしたので、発光ダイオード５，７を乗員から直接的に見えないように配置でき、車室内を更に効果的に照明することができる。
【００４５】
また、本実施例１では、支持構造４を上カバー９及び下カバー８を有して構成し、これら上カバー９及び下カバー８にガイド部１７，１６を設けるようにしたので、天井部３６の天井基材３６ｂを挟み込んで強固に固定される両カバー８，９のガイド部１６，１７によって、音反射板３から立ち上がるガイド片１２が上下方向に案内される。そのため、音反射板３を使用状態Ｐ１と収納状態Ｐ２との間でより円滑に可動させることができる。
【００４６】
また、本実施例１では、上カバー９に規制部３３を設け、下カバー８にプッシュラッチ３５を設けるようにしたので、音反射板３が使用状態Ｐ１にあるときに、音反射板３のガイド片１２の先端側に設けられた係止爪１３が上カバー９の規制部３３に係止されて音反射板３の下方への移動が規制される。そのため、音反射板３を使用状態Ｐ１に位置決めすることができる。また、音反射板３が収納状態Ｐ２にあるときに、音反射板３の突起部１４が下カバー８のプッシュラッチ３５に係脱自在に係止される。そのため、音反射板３を収納状態Ｐ２に位置保持することができる。
【００４７】
また、本実施例１では、上カバー９に固定部１９を設けるようにしたので、上カバー９の固定部１９が天井部３６のルーフパネル３６ａに取り付けられた支持ブラケット２４に固定される。これにより、音反射板３を使用状態Ｐ１と収納状態Ｐ２との間で可動させるときに、天井部３６の天井基材３６ｂが撓んでしまったり、天井用スピーカ装置１の構成部品がガタついてしまったりすることを防止できる。
【００４８】
また、本実施例１では、固定部１９の上端側に固定用クリップ２１を遊嵌するようにしたので、上カバー９の固定用クリップ２１が天井部３６のルーフパネル３６ａに取り付けられた支持ブラケット２４に形成された孔部２５に圧入される。このように固定用クリップ２１が遊嵌されていることで、固定用クリップ２１を孔部２５により円滑に圧入させることができる。そのため、上カバー９ひいては天井用スピーカ装置１の取付け作業性を向上させることができる。特に、車両の製造時において、上カバー９及び下カバー８を組み付けてなる天井基材３６ｂをルーフパネル３６ａに取り付ける場合には、固定用クリップ２１を孔部２５に極めて円滑に圧入させることができ、取付作業性を向上させることができる。
【００４９】
さらに、本実施例１では、天井用スピーカ装置１を天井部３６に配置したことにより、従来のようにドア等のみに配置される場合に比べて車室内での音の広がりをより効果的に実現することができる。例えば、４ドア車において、従来は各ドアに合計４個のスピーカを設けていたものを、各前ドア及び天井部３６の合計３個のスピーカを設けることで従来と同等以上の音響空間を実現することが可能になり、部品点数の削減を図ることができる。
【００５０】
＜実施例２＞
次に、実施例２に係る天井用スピーカ装置について説明するが、上記実施例１の天井用スピーカ装置１と略同じ構成部位には同符号を付けて詳説を省略し、相違点（主に音反射板の構成）について詳説するものとする。
【００５１】
（１）天井用スピーカ装置の構成
本実施例２に係る天井用スピーカ装置４１は、図９〜図１１に示すように、スピーカ２と、このスピーカ２の前面２ａ（音発生部）に対向して設けられる樹脂製の音反射板４３と、この音反射板４３を使用状態Ｐ１及び収納状態Ｐ２に可動するように支持する支持構造４と、この音反射板４３に向かって上方から光を照射する発光ダイオード５（本発明に係る「第１光源」として例示する。）と、この音反射板４３の外側に配置される導光部材６と、この導光部材６に向かって上方から光を照射する発光ダイオード７（本発明に係る「第２光源」として例示する。）と、を備えている。
【００５２】
上記音反射板４３は、円形の平板部５０と、この平板部５０の中央側に設けられ且つスピーカの前面に向かって突出する円錐状の凸部５１と、を備え、全体として光反射性を有している。
【００５３】
（２）天井用スピーカ装置の作用
次に、上記構成の天井用スピーカ装置４１の作用について説明する。なお、本実施例２では、音反射板４３が使用状態Ｐ１であるときに、スイッチ操作により発光ダイオード５，７が点灯可能であり、音反射板４３が収納状態Ｐ２であるときに、スイッチ操作により発光ダイオード７が点灯可能で且つ発光ダイオード５が点灯不能であるものとする。
【００５４】
上記音反射板４３が最下方に位置して使用状態Ｐ１にあるときには、スピーカ２から発生された音は、天井基材３６ｂのスピーカ取付穴３１を通って音反射板４３にぶつかり、凸部５１で水平全周方向に拡散され、音反射板４３と下カバー８との隙間から車室内に放出される（図９中に中空矢印で示す。）。また、発光ダイオード５から照射される光は、音反射板４３の凸部５１及び平板部５０で反射されて天井部３６が間接照明される（図９中に破線矢印で示す。）。さらに、発光ダイオード７から照射される光は、その一部が導光部材６の下方導光部６ｂで下方に導かれて車室内が直接照明されるとともに、その一部が導光部材６の側方導光部６ａで側方に導かれて天井部３６が間接照明される（図９中に一点鎖線矢印で示す。）。
【００５５】
次いで、音反射板４３を収納状態Ｐ２とする際には、使用状態Ｐ１の音反射板４３を下方から押し上げる。これにより、音反射板４３のガイド片１２が各カバー８，９のガイド部１６，１７に案内され、音反射板４３が下カバー８の収納部１８内に収納される。このとき、音反射板４３の突起部１４がプッシュラッチ３５を押圧してロックされ、音反射板４３は収納状態Ｐ２に位置保持される。
【００５６】
そして、音反射板４３が収納状態Ｐ２であるときには、発光ダイオード７から照射される光は、その一部が導光部材６の下方導光部６ｂで下方に導かれて車室内が直接照明されるとともに、その一部が導光部材６の側方導光部６ａで側方に導かれて天井部３６が間接照明される（図１０中に一点鎖線矢印で示す。）。なお、発光ダイオード５は点灯されない。
【００５７】
その後、音反射板４３を使用状態Ｐ１とする際には、収納状態Ｐ２の音反射板４３を上方に押し込む。これにより、音反射板４３の突起部１４がプッシュラッチ３５を押圧してロックが解除される。すると、音反射板４３は最下位置まで下がって音反射板４３の係止爪１３が上カバー９の規制部３３に係止して、音反射板４３は使用状態Ｐ１に位置決めされる。
【００５８】
（３）実施例２の効果
以上より、本実施例２の天井用スピーカ装置４１によると、上記実施例１の天井用スピーカ装置１と略同じ作用及び効果を発揮し得ることに加えて、音反射板４３の凸部５１に向かって光を照射する発光ダイオード５を備えたので、発光ダイオード５から照射される光は、音反射板４３の凸部５１及び平板部５０で反射されて天井部３６が間接照明される。このようにスピーカ装置４１に音反射板４３を利用して照明する照明機能を持たせるようにしたので、従来のように照明装置とスピーカ装置とを併設するものに比べて、意匠性を向上させ得るとともに、簡易且つ安価な構成とすることができる。
【００５９】
尚、本発明においては、上記実施例１及び２に限られず、目的、用途に応じて本発明の範囲内で種々変更した実施例とすることができる。即ち、上記実施例１及び２では、第１光源及び第２光源として発光ダイオード５，７を例示したが、これに限定されず、例えば、第１光源及び／又は第２光源として、白熱電球等のバルブ、蛍光灯、エレクトロルミネセンスライト、導光体（例えば、導光管、導光板等）等のうちの１種又は２種以上の組み合わせを採用してもよい。
【００６０】
また、上記実施例１及び２では、第２光源としての発光ダイオード７及び導光部材６を備える形態を例示したが、これに限定されず、例えば、発光ダイオード７及び導光部材６を省略してもよい。特に、上記実施例１では、第１光源としての発光ダイオード５により車室内の直接照明及び天井部の間接照明が行われるため、効果的な照明機能を持たせ得るとともに、スピーカ装置１を更に簡易且つ安価に構成することができる。
【００６１】
また、上記実施例１及び２では、側方導光部６ａ及び下方導光部６ｂを有する導光部材６を例示したが、これに限定されず、例えば、側方導光部６ａ及び下方導光部６ｂのうちの一方を有する導光部材としてもよい。
【００６２】
また、上記実施例１及び２では、円錐状のレンズ１１及び凸部５１を例示したが、これに限定されず、例えば、角錐状、異形状等のレンズ及び凸部を採用してもよい。
【００６３】
また、上記実施例１では、光透過性を有するレンズ１１を例示したが、これに限定されず、例えば、光透過性に加えて部分的に光反射性を有するレンズとしてもよい。また、上記実施例２では、光反射性を有する凸部５１を例示したが、これに限定されず、例えば、光反射性に加えて部分的に光透過性を有する凸部としてもよい。
【００６４】
また、上記実施例１では、音反射板３が収納状態Ｐ２であるときに、第１光源としての発光ダイオード５を点灯可能としたが、これに限定されず、例えば、音反射板３が収納状態Ｐ２であるときには発光ダイオード５を点灯不能としてもよい。また、上記実施例２では、音反射板４３が収納状態Ｐ２であるときに、第１光源としての発光ダイオード５を点灯不能としたが、これに限定されず、例えば、音反射板４３が収納状態Ｐ２であるときには発光ダイオード５を点灯可能としてもよい。
【００６５】
また、上記実施例１及び２において、発光ダイオード５，７に輝度ムラを抑制するための拡散キャップを装着するようにいてもよい。また、導光部材６の表面側には、光の拡散効果を高め得る表面加工が施されていることが好ましい。
【００６６】
上記実施例１及び２では、上カバー９の周縁側に４つの固定部１９を配置するようにしたが、これに限定されず、例えば、上カバー９の周縁側に３つ又は２つの固定部１９を円周方向に均等な間隔又は不等な間隔で配置したり、上カバー９の周縁側に５つ以上の固定部１９を円周方向に均等な間隔又は不等な間隔で配置したりしてもよい。さらに、例えば、図１２に示すように、上カバーの周縁側に円筒状の固定部１９’を設け、この固定部１９’の上端側に形成されたフランジ３７の一部にクリップ取付孔２０を形成するようにしてもよい。
【００６７】
また、上記実施例１及び２では、係止機構としてプッシュラッチ３５を例示したが、これに限定されず、例えば、磁力を利用して突起部１４を係脱自在に係止する係止機構等を採用してもよい。
【００６８】
また、上記実施例１及び２では、下カバー８にプッシュラッチ３５を設ける形態を例示したが、これに限定されず、例えば、下カバー８に替えて又は加えて、上カバー９にプッシュラッチ３５を設けるようにしてもよい。さらに、上記実施例では、下カバー８及び上カバー９にガイド部１６，１７を設けるようにしたが、これに限定されず、例えば、下カバー８及び上カバー９のうちの一方のカバーのみにガイド部を設けるようにしてもよい。
【００６９】
さらに、上記実施例１及び２では、手動操作により音反射板３，４３を使用状態Ｐ１と収納状態Ｐ２との間で変位させるようにしたが、これに限定されず、例えば、モータ、シリンダ等の駆動源の作動により音反射板３，４３を使用状態Ｐ１と収納状態Ｐ２との間で変位させるようにしてもよい。
【００７０】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにける開示事項に限定することを意図するものではなく、むしろ、本発明は添付の特許請求の範囲内における、機能的に同等の構造、方法、使用の全てに及ぶものとする。
【００７１】
本発明は上記で詳述した実施形態に限定されず、本発明の請求項に示した範囲で様々な変形または変更が可能である。
【産業上の利用可能性】
【００７２】
乗用車、バス、トラック等の他、列車、汽車等の鉄道車両、建設車両、農業車両、産業車両などの車両の天井用スピーカ装置に関する技術として広く利用される。
【符号の説明】
【００７３】
１，４１；天井用スピーカ装置、２；スピーカ、２ａ；前面、３，４３；音反射板、４；支持構造、５；発光ダイオード、６；導光部材、６ａ；側方導光部、６ｂ；下方導光部、７；発光ダイオード、１１；レンズ、３６；天井部、５１；凸部、Ｐ１；使用状態、Ｐ２；収納状態。
【図１】
2011225060.tif 000003
【図２】
2011225060.tif 000004
【図３】
2011225060.tif 000005
【図４】
2011225060.tif 000006
【図５】
2011225060.tif 000007
【図６】
2011225060.tif 000008
【図７】
2011225060.tif 000009
【図８】
2011225060.tif 000010
【図９】
2011225060.tif 000011
【図１０】
2011225060.tif 000012
【図１１】
2011225060.tif 000013
【図１２】
2011225060.tif 000014